(57)【特許請求の範囲】
【請求項１】
硬質の微細粒子が密に配設保持されることにより表面に微細凹凸が形成されたシートと薄状樹脂フィルムを重ね合わせ、薄状樹脂フィルムに対し所定の圧力を加えることにより上記薄状樹脂フィルムにその圧力に対応した形状で微細な切れ目が形成される孔版原紙の製版装置であって、
前記薄状樹脂フィルムに対して所定の圧力を加えることにより、該圧力に対応して薄状樹脂フィルムに形成される前記微細な切れ目の数と大きさが変化し、これにより印刷濃度が変化するように、前記シート表面に、６５０メッシュパスの粒径を有する微細粒子（１０ｃ）と４５０メッシュパスの粒径を有する微細粒子（１０ｄ）と３５０メッシュパスの粒径を有する微細粒子（１０ｅ）と２８０メッシュパスの粒径を有する微細粒子（１０ｆ）を略均等に分散保持させることにより、前記シート表面に、４種の異なる高さを有する微細凹凸が形成されていることを特徴とする孔版原紙の製版装置。
【請求項２】
前記薄状フィルムと前記シートを重合した状態で前記薄状フィルム上から圧力を加える筆記機構を備えた請求項１に記載の孔版原紙の製版装置。
【請求項３】
請求項１又は２に記載の孔版原紙の製版装置を用い、前記薄状樹脂フィルムと前記シート間に圧力を加えることにより、前記薄状樹脂フィルムにその圧力に対応した形状で微細な切れ目を形成させることを特徴とする孔版原紙の製版方法。
【発明の詳細な説明】
【０００１】
【発明の属する技術分野】
本発明は、孔版原紙を手書き等で加圧して製版する製版方法及び装置に関する。
【０００２】
【従来の技術】
従来の鉄筆による孔版の製版方法は、高品位の製版画像が得られるが、熟練を必要とすることから、主流が熟練のいらないボールペン原紙に移行し、ボールペン原紙もコピー機の出現などから、減少の一途を辿り、特殊分野以外では今日見かけることもなくなって来ている。
【０００３】
【発明が解決しようとする課題】
しかしながら、手書きによる製版は、このワープロ、パソコンの時代にあって、逆に個性を発揮できることから見直されつつあり、手軽な手書き製版手段が求められている。
さらに、従来の手書き製版は、階調を持たせるなどの技巧を行うには高度な熟練を要するといった手軽さに欠ける問題点があった。
【０００４】
本発明は、手軽で安価で、且つ書き手の意思に沿って手書きの文字と同様に力加減によって濃淡が表現できる孔版原紙の製版方法及び装置を提供することを目的としている。
【０００５】
【課題を解決するための手段】
上記目的を達成するため、本発明の孔版原紙の製版装置は、請求項１記載のように、硬質の微細粒子が密に配設保持されることにより表面に微細凹凸が形成されたシートと薄状樹脂フィルムを重ね合わせ、薄状樹脂フィルムに対し所定の圧力を加えることにより上記薄状樹脂フィルムにその圧力に対応した形状で微細な切れ目が形成される孔版原紙の製版装置であって、
前記薄状樹脂フィルムに対して所定の圧力を加えることにより、該圧力に対応して薄状樹脂フィルムに形成される前記微細な切れ目の数と大きさが変化し、これにより印刷濃度が変化するように、前記シート表面に、６５０メッシュパスの粒径を有する微細粒子（１０ｃ）と４５０メッシュパスの粒径を有する微細粒子（１０ｄ）と３５０メッシュパスの粒径を有する微細粒子（１０ｅ）と２８０メッシュパスの粒径を有する微細粒子（１０ｆ）を略均等に分散保持させることにより、前記シート表面に、４種の異なる高さを有する微細凹凸が形成されていることを特徴としている。
【０００６】
また、請求項２記載のように、前記薄状フィルムと前記シートを重合した状態で前記薄状フィルム上から圧力を加える筆記機構を備えた構成とすることができる。
【０００７】
本発明の孔版原紙の製版方法は、請求項３記載のように、請求項１又は２に記載の孔版原紙の製版装置を用い、前記薄状樹脂フィルムと前記シート間に圧力を加えることにより、前記薄状樹脂フィルムにその圧力に対応した形状で微細な切れ目を形成させることを特徴としている。
【０００８】
上記構成によれば、微細凹凸面には異なる粒径の微細粒子が設けられており、この微細凹凸面と樹脂フィルムとを重ねた状態で樹脂フィルムに対し所定の圧力を加えると、この圧力に対応して樹脂フィルムに開く切れ目の数が変化し濃度の差を表現することができるようになる。圧力が小さいと樹脂フィルムには大きな粒径の微細粒子に接した箇所が切れ目状態で開孔する。また、大きな圧力をかけると樹脂フィルムには全ての微細粒子に接した箇所が開孔する。中間の圧力であれば、大きな粒径及びこの圧力に対応した径の微細粒子によって樹脂フィルムが開孔される。また、切れ目の大きさも変化する。
このように筆記圧力を変えることで、切れ目の大きさと開く切れ目の数を変えることができ、これが濃度の差となって表現できる。
【０００９】
【発明の実施の形態】
本発明の製版装置の第１の実施の形態を図１を用いて説明する。図１に示すように、孔版印刷用原紙の組み立て体１は、所定の厚さと剛性を有する略矩形の枠体２を基体としている。枠体２の一方の面には、孔版印刷用原紙３が貼り付けられている。孔版印刷用原紙３は、インク通過性支持体４と、感熱性の樹脂フィルム５を貼り合わせたものである。孔版印刷用原紙３は、樹脂フィルム５の側を外側とし、インク通過性支持体４を枠体２に貼り合わせてある。
【００１０】
インク通過性支持体４としては、多孔質の合成繊維や天然繊維、又はこれら繊維の混紡の抄造紙、各種織布、不織布等が用いられるが、これらのうちでは和紙等の薄葉紙が好ましい。薄葉紙は、あまり密度が大きいか、又は坪量が大きくなると、印刷時にインクの通過が悪く、鮮明な印刷が不可能となる。逆に密度が小さいか、又は坪量が小さくなると、印刷時の耐刷性が小さくなる。このため、坪量としては５ｇ／ｍ2 〜２５ｇ／ｍ2 が望ましい。
【００１１】
樹脂フィルム５としては、ＰＥＴ（ポリエチレンテレフタレート）が好ましい。その厚さは１．５μｍ〜７μｍの範囲が好ましく、更に好ましくは２μｍ〜３μｍの範囲で、本例では最適値の２μｍである。上記支持体４もしくは樹脂フィルム５には、必要に応じて感圧発色剤が塗布されている。
【００１２】
枠体２の他方の面には、インク不通過性のバックシート６が固定されている。バックシート６の外形は枠体２と略同一である。バックシート６は、その一短縁辺が、対応する枠体２の一短縁辺に一体とされている。製版後、印刷のためにバックシート６を開いて枠体２内部にインクを入れる。バックシート６を閉じればインクが外に漏れることはない。
【００１３】
図１に示すように、本例の製版装置７は、矩形の基体８を有している。基体８の上面の外縁部には、保持枠９が設けられている。保持枠９の厚さ、即ち基体８の上面から保持枠９の上面までの高さは、前記組み立て体１の枠体２の厚さに略相当する。保持枠９の一短辺の略中央には切り欠き９ａが設けられている。保持枠９の他短辺の上面には、前記組み立て体１のバックシート６を一時的に保持する粘着保持部９ｂが設けられている。又、基体８の上面には前記組み立て体１を保持する粘着部を設けてもよい。
【００１４】
図１に示すように、製版装置７において、前記保持枠９の内部の前記基体８の上面には、微細凹凸面１０が形成されている。
微細凹凸面１０は、この実施の形態では硬質の微細粒子が矩形の領域の内部の全面に密に配された部分である。微細凹凸面１０の形状及び寸法は、前記組み立て体１における枠体２の内部の孔版印刷用原紙３の形状及び寸法に略相当する。
【００１５】
図２は微細凹凸面１０を示す拡大側断面図である。基体１０ａ上には糊、ホットメルト樹脂、溶剤系の接着剤等の粘着性物質からなる粘着層１０ｂがスクリーン印刷法等によって塗布され、この上に複数の異なる粒径の微細粒子１０ｃ〜１０ｆを振りかけ、微細粒子１０ｃ〜１０ｆを粘着層１０ｂの粘着性で基体１０ａ上に保持させる。
各微細粒子１０ｃ〜１０ｆはメッシュパスが＃２００〜＃２０００の範囲の粒径のものが好ましい。本例では、最適値としてメッシュパスが＃５００〜＃１０００の範囲の各異なる粒径のものを微細凹凸面１０上に略均等に分散させてなる。
【００１６】
本例では、それぞれの粒径が４段階で異なる微細粒子が用いられる。もっとも小さな微細粒子１０ｃは粒径が２０〜２５μｍ（メッシュパスでは＃６５０）、その上の大きさの微細粒子１０ｄは粒径が３０〜３５μｍ（メッシュパスでは＃４５０）、その上の大きさの微細粒子１０ｅは粒径が４０〜４５μｍ（メッシュパスでは＃３５０）、最も大きい微細粒子１０ｆは粒径が５０〜５５μｍ（メッシュパスでは＃２８０）のものが用いられる。
微細粒子としては、ケイ素、酸化アルミニウム、シリコンカーバイド、ダイヤモンド等を利用できる。
これら微細粒子１０ｃ〜１０ｆ順次段階的に小さなメッシュのふるいにかけることにより、４段階の粒径の微細粒子１０ｃ〜１０ｆを得ることができる。
【００１７】
基体１０ａは、硬質の微細粒子１０ｃ〜１０ｆを支えるため、ある程度の硬さがあり、後述する加圧によっても容易には変形しないものが好ましく、ここでは厚さ２ｍｍの硬質ボール紙が用いられている。また、上記微細凹凸面１０は、上述したような微細粒子を硬質の紙上に接着した構成以外のものでもよい。
【００１８】
製版においては、図３に示すように、前記微細凹凸面１０に、組み立て体１の孔版印刷用原紙３の樹脂フィルム５の側を重ねる。そして図４に示すように、前記保持枠９と前記微細凹凸面１０の間に組み立て体１の枠体２を固定保持させ、バックシート６を開いてその上面の一縁辺側を粘着保持部９ｂに保持させる。
【００１９】
次に、図５に示すように、セラミックボールチップを有するボールペン１１等の圧力負荷手段により、製版装置７の微細粒子面１０上に重ねた孔版印刷用原紙３のインク通過性支持体４の上に、製版しようとする所望の文字・画像等を描く。製版しようとしている文字・画像はインク通過性支持体４の上に描かれるので、直接視認することができる。孔版印刷用原紙３の樹脂フィルム５は、インク通過性支持体４の上に描かれたパターンに対応したパターンで微細凹凸面１０に向けた圧力を受け、硬質の微細粒子の間に押し込まれる。これによって、孔版印刷用原紙３の樹脂フィルム５には、セラミックボールチップを有するボールペン１１でインク通過性支持体４に描いた文字・画像に対応したパターンで多数の微細な切れ目が形成される。
上記微細な切れ目は上記微細凹凸面１０の微細粒子の形状と配置に対応し、それぞれ独立した切れ目形状となり、かつランダムな配置となるため、印刷した際に、独立した切れ目により裏移りが少なく、ランダムな配置の切れ目によりモアレの影響の少ない画像が得られることになる。
【００２０】
ここで、図６に示すのは、この製版時における圧力による印刷濃度の変化状態を示す図である。図中横軸は圧力、縦軸は印刷濃度である。尚、鉛筆硬度は２Ｈのものを用いた。
図示のように、一般的にボールペン１１等の圧力負荷手段の圧力を高めるに従い印刷濃度が濃くなっていくことが判る。
【００２１】
そして、本発明では、微細凹凸面１０の微細粒子はそれぞれの粒径が４段階で異なる微細粒子１０ｃ〜１０ｆが用いられているため、加えられる圧力が一定であっても、この圧力が強ければ樹脂フィルム５には、微細粒子１０ｃ〜１０ｆ全てに接する箇所に切れ目が形成されることになる。
また、弱い力であれば、樹脂フィルム５には、粒径の大きな微細粒子１０ｆに接する箇所に切れ目が形成されることになる。
また、中間の力であれば、樹脂フィルム５には、粒径の大きな微細粒子１０ｆとそれより小さな微細粒子１０ｅ（さらに１０ｄの場合もある）に接する箇所に切れ目が形成されることになる。
このように、製版時の圧力によって、開く切れ目の数が変化し、これが濃度の差となって表現することができるようになる。
【００２２】
製版が終了したら、組み立て体１を製版装置７から取り外す。組み立て体１の枠体２内に所望の色彩のインクを所望の位置に配置し、バックシート６を閉める。この組み立て体１の樹脂フィルム５と印刷用紙を密着させ、インクに圧力を加える。インクはインク通過性支持体４と樹脂フィルム５の製版部を通過して印刷用紙に転移し、製版のパターンに対応した印刷画像が印刷用紙に形成される。
【００２３】
前記印刷工程においては、エマルジョンインクを使用するのが好ましい。また、使用するエマルジョンインクの硬さは、スプレッドメータの１分値で２０〜５０の範囲が好ましく、本例では最適値である３０のエマルジョンインクを使用した。
【００２４】
次に、本発明の第２実施形態を説明する。
図７に示すように、本例の製版装置１２は、矩形の基体１３を有している。基体１３の上面には、微細凹凸面１４が形成されている。微細凹凸面１４は、前記第１実施形態同様にそれぞれ異なる粒径を有する複数の微細粒子１０ｃ〜１０ｆで構成されている。この微細粒子１０ｃ〜１０ｆは、印刷しようとする所望のパターンを構成するように密に配されている。図７に示すように、本例では硬質の微細粒子１０〜１０ｆが密集した微細凹凸面１４が文字「ＡＢＣ」の形状に形成されている。微細凹凸面１４を構成する微細粒子の材質及び粒径の条件は第１の例と同一である。
【００２５】
所望のパターンの微細凹凸面１４を形成する方法を説明する。スクリーン印刷法等によって板・厚紙等の基体１３上に糊等の粘着性物質で所望の画像を印刷する。その上に硬質の微細粒子を振りかけ、微細粒子を粘着性物質の粘着性で基体１３上に保持させる。次に、粘着性物質で印刷された画像以外の部分に載った微細粒子を基体１３上から除去する。そして、粘着性物質を乾燥させて硬化させれば、微細粒子の画像が形成される。
【００２６】
製版においては、図８に示すように、前記微細凹凸面１４に、孔版印刷用原紙３の樹脂フィルム５の側を重ねる。そして図９に示すように、孔版印刷用原紙３を重ねた製版装置１２を一対のローラ１５，１５で挟んで搬送し、孔版印刷用原紙３を製版装置１２に押し付ける。孔版印刷用原紙３の樹脂フィルム５は、所望の形状に形成された微細凹凸面１４の微細粒子の間に押し込まれる。これによって、孔版印刷用原紙３の樹脂フィルム５には、製版装置１２に微細粒子で形成された文字・画像に対応したパターンで多数の微細な孔が形成される。このとき原紙３に感圧発色剤が塗布されていると孔の形成部分が圧力で発色し孔に対応した画像を視認することができる。
【００２７】
製版が終了したら、孔版印刷用原紙３を製版装置１２から取り外し、製版済みの孔版印刷用原紙３とエマルジョンインクを用いて孔版印刷を行う。印刷の手順、エマルジョンインクの条件等は第１の例と同一である。
【００２８】
本実施の形態においては、孔版印刷用原紙３を製版装置１２に押し付けて製版するために、一対のローラ１５，１５を用いた。この他、孔版印刷用原紙３を製版装置１２に押し付けるために、製版装置１２に重ねた孔版印刷用原紙３をバレンや一本のローラで擦ってもよい。また、第１の例のように、孔版印刷用原紙３の微細凹凸面１４に対応する部分乃至その近傍のみをボールペン等で擦ってもよい。
以上説明した各例においては、インク通過性支持体４と樹脂フィルム５を貼り合わせた孔版印刷用原紙３を用いたが、樹脂フィルム５のみを用いてもよい。
【００２９】
次に、本発明の第３の実施の形態を図１０及び図１１を参照して説明する。図１０及び図１１に示す孔版印刷用原紙の組み立て体１は、第１の例で説明したものと同一であり、第１の例と同一の符号を付してその説明を省略する。
【００３０】
この製版印刷装置６０は、印刷装置としても機能する。第１の例と機能上共通の部分には第１の例と同一の符号を付す。矩形の押圧板４０は、第１の例における基体８と共通の構成を有している。本例の押圧板４０の中央には、前述した微細凹凸面を構成するヤスリシート４１が、ヤスリ保持用粘着シート４２によって着脱可能に取り付けてある。本例の押圧板４０の下面中央には、印刷時に版を取り付ける押圧用弾性体として、矩形のスポンジ（原紙スポンジ４３と呼ぶ）が設けられている。原紙スポンジ４３の下面には、製版された孔版印刷用原紙の組み立て体１を保持する保持手段として原紙保持用粘着シート４４が取り付けられている。
【００３１】
作業台上等に設置される基板５０に対して押圧板４０は開閉可能に取り付けられている。まず、押圧板４０の下面には、その一長辺に沿って角棒状のスペーサ部材４５が取り付けられている。そして押圧板４０のスペーサ部材４５は、押圧板４０と同形である基板５０の一長辺に、ヒンジ５１を介して揺動可能に取り付けられている。基板５０の上面中央には、印刷時に印刷用紙を保持する保持手段として、前記原紙スポンジ４３と同形の他のスポンジ（用紙スポンジ５２と呼ぶ）が設けられている。用紙スポンジ５２の上面には、印刷用紙を保持する保持手段として用紙保持用粘着シート５３が取り付けられている。
【００３２】
この製版印刷装置６０の使用方法を説明する。作業台上等に、基板５０を下にして本装置を設置する。孔版印刷用原紙の組み立て体１を押圧板４０の保持枠９内に取り付ける。その際、第１の例の場合と同様に、組み立て体１の孔版印刷用原紙３の樹脂フィルム５の側をヤスリシート４１に重ねる。第１の例と同様に、バックシート６を開いてその上面の一縁辺側を粘着保持部９ｂに保持させる。
【００３３】
第１の例の場合と同様に、セラミックボールペン１１等の圧力負荷手段により、ヤスリシート４２上に重ねた孔版印刷用原紙３のインク通過性支持体４の上に、製版しようとする所望の文字・画像等を描く。孔版印刷用原紙３の樹脂フィルム５には、セラミックボールペン１１でインク通過性支持体４に描いた文字・画像に対応したパターンで多数の微細な孔が形成される。
【００３４】
製版が終了したら、組み立て体１を製版印刷装置６０から取り外す。組み立て体１の枠体２内に所望の色彩のインクを所望の位置に配置し、バックシート６を閉める。組み立て体１のバックシート６側を、押圧板４０の原紙保持用粘着シート４４に保持させる。用紙保持用粘着シート５３には印刷用紙を保持させる。押圧板４０を基板５０の方向に揺動させ、組み立て体１の孔版印刷用原紙３を印刷用紙に押圧する。組み立て体１内のインクが印刷用紙に転移し、印刷用紙に孔版印刷が施される。
押圧板４０を基板５０から離れる方向に回動させ、組み立て体１を印刷用紙から引き剥がす。印刷用紙は、用紙保持用粘着シート５３に保持され、組み立て体１は原紙保持用粘着シート４４に保持されているので、両者は容易に剥がれる。枠体２に張られた孔版印刷用原紙３とバックシート６は、インクの粘性によって保持されているので、押圧板４０の開放時にこの両者が開いてしまうことはない。製版のパターンに対応した印刷画像が印刷された印刷用紙が、用紙保持用粘着シート５３上に残される。
【００３５】
使用する印刷用紙として、保持枠９の内形に合致した形状のカードを使用する。押圧板４０のヤスリシート保持用粘着シート４２からヤスリシート４１を取り外し、印刷したカード等を保持枠９の内部に取り付ければ、本装置を額のように使用することができる。押圧板４０と基板５０の角度を適当に調整すれば、カードを保持させた本装置を机上等に飾ることができる。
【００３６】
以上説明した各例においては、樹脂フィルム５の厚さ、微細凹凸面１０，１４を構成する微細粒子の粒径、インクの硬さの各条件について、それぞれ適用できる範囲と、その中の最適値を記載した。本発明者等の実験によれば、各条件をこのような数値範囲に設定して各例のように本発明を実施すれば、鮮明で高品質の孔版印刷画像が得られる。
【００３７】
一般的には樹脂フィルムが厚い場合には微細粒子の粒径を大きくする必要がある。その場合には樹脂フィルムの製版領域を構成する孔は比較的大きいので、硬めのインクを使用して印刷するとよい。また、樹脂フィルムが薄い場合には微細粒子の粒径を小さくする必要がある。その場合には樹脂フィルムの製版領域を構成する孔は比較的小さいので、柔らかめのインクを使用して印刷するとよい。また、樹脂フィルムの製版領域を構成する孔が比較的小さい場合には、製版領域の孔から印刷用紙に転移するインクの量が少ないので、印刷直後に印刷用紙を重ねても裏移りしにくい。
【００３８】
次に、本発明の第４の実施形態を説明する。図１２に示すように、この実施形態では、前述した圧力負荷手段は、製版時に任意の一定圧力を負荷する筆記機構３０で構成されている。
筆記機構３０は、シリンダ３１内に鉛筆芯３２が挿通され、ピストン３３に対し外部から空気圧等で所定圧力が加えられる構成である。この印加圧力は空気源の制御で任意の一定な圧力とすることができる。
シリンダ３１は、昇降機構３５によって昇降自在である。昇降機構３５は、シリンダ３１に固定して設けられた吸引板３５ａと、吸引板３５ａに対面する固定の電磁ソレノイド３５ｂで構成されている。製版前後の時期においては、電磁ソレノイド３５ｂを非通電状態とすることにより、復帰バネ３５ｃによって上昇し、製版時には、電磁ソレノイドを通電させることにより、電磁ソレノイド３５ｂに吸引板３５ａが吸着され、鉛筆芯３２を前記樹脂フィルム５上で所定圧力を加える。
【００３９】
シリンダ３１を保持する昇降機構３５は、図示しないスライド機構によって水平面内のＸ，Ｙ方向（互いに直角な二方向）にスライド自在な構成とされており、このスライド機構の動作で所望する所定の製版を行えるようになっている。
そして、シリンダ３１に加える圧力を前述したように複数段階設定しておくことにより、樹脂フィルム５に開く切れ目の数を変化させることができる。
【００４０】
例えば、前記第１実施形態で説明したように微細凹凸面１０に異なる粒径の微細粒子１０ｃ〜１０ｆを設けた構成においては、一番大きな微細粒子１０ｆで樹脂フィルム５に孔を開ける第１の圧力と、１，２番目の大きさの微細粒子１０ｆ，１０ｅで樹脂フィルム５に孔を開ける第２の圧力と、１〜３番目の大きさの微細粒子１０ｆ，１０ｅ，１０ｄで樹脂フィルム５に孔を開ける第３の圧力と、全ての微細粒子１０ｃ〜１０ｆで樹脂フィルム５に孔を開ける第４の圧力、の４段階の圧力が設定されている。
操作者は、これら微細粒子１０ｃ〜１０ｆの粒径に対応して予め設定された４段階の圧力を選択することにより、この選択に対応して樹脂フィルム５に開く切れ目の数が変化し濃度の差を表現することができるようになる。
【００４１】
また、この筆記機構３０を用いて、製版を行う際に、外部から加えられる空気圧を変化させれば、この圧力の変化に応じて樹脂フィルム５に異なる径の切れ目状の孔を開孔させることができるようになる。
【００４２】
【発明の効果】
本発明によれば、微細凹凸面に重ねたフィルムに圧力を加えて押し付けることによりフィルムを製版でき、特に微細凹凸面は異なる粒径の微細粒子で構成されており、加える圧力を変えるだけでフィルムに開く孔の数が変化し濃度の差を表現することができるようになる。この製版は簡単で熟練を要せず、美しい印刷画質が得られるという効果がある。
【図面の簡単な説明】
【図１】本発明の製版装置の第１の実施形態を示す斜視図。
【図２】同第１実施形態の微細凹凸面を示す拡大断面図。
【図３】製版時の状態を示す断面図。
【図４】製版時の状態を示す斜視図。
【図５】製版時の状態を示す側面図。
【図６】製版時の圧力と印刷後の印刷濃度の関係を示す図。
【図７】本発明の製版装置の第２の実施形態を示す斜視図。
【図８】製版時の状態を示す側断面図。
【図９】製版時の状態を示す側面図。
【図１０】本発明の製版装置の第３の実施形態を示す斜視図。
【図１１】印刷時の状態を示す斜視図。
【図１２】本発明の第４の実施形態で用いる筆記機構を示す側断面図。
【符号の説明】
３  孔版印刷用原紙
４  インク通過性支持体
５  樹脂フィルム
７，１２，６０  製版装置
１０，１４，２０，６３，７３  微細凹凸面
１０ｃ〜１０ｆ  微細粒子
３０  筆記機構
【図１】
0003592482.tif 000002
【図２】
0003592482.tif 000003
【図３】
0003592482.tif 000004
【図４】
0003592482.tif 000005
【図５】
0003592482.tif 000006
【図６】
0003592482.tif 000007
【図７】
0003592482.tif 000008
【図８】
0003592482.tif 000009
【図９】
0003592482.tif 000010
【図１０】
0003592482.tif 000011
【図１１】
0003592482.tif 000012
【図１２】
0003592482.tif 000013